【手続補正書】
【提出日】平成22年2月17日(2010.2.17)
【手続補正１】
【補正対象書類名】特許請求の範囲
【補正対象項目名】全文
【補正方法】変更
【補正の内容】
【特許請求の範囲】
【請求項１】
複数の端末装置と、前記端末装置をネットワークに接続するためのゲートウェイ装置と、前記端末装置からサービスの要求を受信する第１サーバと、前記端末装置にサービスを提供する第２サーバと、前記サービスに適用されるポリシ情報を提供するリソース制御装置と、を備える通信システムであって、
前記第１サーバは、前記サービスと前記ポリシ情報とを対応付けるサービス制御情報を管理し、前記端末装置から受信したサービス起動要求メッセージからフロー情報識別子及び加入者識別子を取得し、前記取得したフロー情報識別子及び加入者識別子を含むポリシ問合せ要求メッセージを前記第２サーバの指示に基づいて前記リソース制御装置に送信し、前記リソース制御装置から受信した応答メッセージに基づいて前記ゲートウェイ装置に前記リソース制御装置の識別情報を送信し、
前記リソース制御装置は、前記フロー情報識別子と前記ポリシ情報とを対応付けるリソース制御情報を管理し、前記第１サーバから送信された前記ポリシ問合せ要求メッセージから前記フロー情報識別子及び前記加入者識別子を取得し、前記取得したフロー情報識別子及び加入者識別子に基づいて前記サービスに適用されるＱｏＳ情報を含むポリシの情報を検索し、前記検索したポリシの情報を前記ゲートウェイ装置に送信し、
前記ゲートウェイ装置は、前記第１サーバから前記リソース制御装置の識別情報を受信し、前記受信した識別情報に対応する前記リソース制御装置から前記ポリシ情報を受信し、前記サービスに対して前記受信したポリシ情報を設定し、
前記第２サーバは、前記ポリシ情報が設定されたサービスを前記端末装置に提供することを特徴とする通信システム。
【請求項２】
前記サービス起動要求メッセージは、ＳＩＰ以外の制御メッセージであることを特徴とする請求項１に記載の通信システム。
【請求項３】
前記サービス起動要求メッセージは、ＢＣＭＣＳに準拠したメッセージであり、かつ、前記サービス起動要求メッセージの送信先は、前記サービスを提供する第２サーバであることを特徴とする請求項１に記載の通信システム。
【請求項４】
前記フロー情報識別子は、前記端末装置のＩＰアドレス及びポート番号の組み合わせであることを特徴とする請求項１に記載の通信システム。
【請求項５】
前記第２サーバは、前記ポリシ問合せ要求メッセージの送信元であることを特徴とする請求項１に記載の通信システム。
【請求項６】
前記リソース制御装置は、前記ポリシ問合せ要求メッセージの送信元に基づいて、前記応答メッセージの送信先を変更することを特徴とする請求項１に記載の通信システム。
【請求項７】
前記ゲートウェイ装置は、前記サービスの提供を終了する時に、当該サービスに関するポリシ情報を削除することを特徴とする請求項１に記載の通信システム。
【請求項８】
前記ゲートウェイ装置は、前記サービスの提供を終了する時に、当該サービスに関するポリシ情報を削除するよう前記第１サーバに指示することを特徴とする請求項１に記載の通信システム。
【請求項９】
前記ゲートウェイ装置は、前記サービスの提供を終了する時に、当該サービスに関するポリシ情報を削除するよう前記リソース制御装置に指示することを特徴とする請求項１に記載の通信システム。
【請求項１０】
複数の端末装置と、サービスに適用されるポリシ情報を提供するリソース制御装置と、前記端末装置を前記ネットワークに接続するためのゲートウェイ装置と、前記端末装置からサービスの要求を受信する第１サーバと、前記端末装置にサービスを提供する第２サーバと、を備え、
前記リソース制御装置は、フロー情報識別子と前記ポリシ情報とを対応付けるリソース制御情報を管理し、前記ゲートウェイ装置から受信した前記フロー情報識別子に基づいて前記サービスに適用されるＱｏＳ情報を含むポリシの情報を検索し、前記検索したポリシの情報を前記ゲートウェイ装置に送信し、
前記ゲートウェイ装置は、前記端末装置から受信したサービス起動要求メッセージから、前記サービスのフロー情報識別子を取得し、前記取得したフロー情報識別子に基づいて、前記リソース制御装置から前記ポリシ情報を受信し、前記受信したポリシ情報に基づいて、前記サービスに対して前記ポリシ情報を設定することを特徴とする通信システム。
【請求項１１】
ネットワークに接続される制御サーバ装置であって、
前記ネットワークには、複数の端末装置と、前記端末装置を前記ネットワークに接続するためのゲートウェイ装置と、前記ネットワークに適用されるポリシ情報を提供するリソース制御装置と、前記端末装置にサービスを提供する第２サーバと、が接続され、
前記制御サーバ装置は、前記ネットワークに接続されるインタフェースと、前記インタフェースに接続されるプロセッサと、前記プロセッサに接続されるメモリと、を備え、
前記メモリは、前記サービスと前記ポリシ情報とを対応付けるサービス制御情報を格納し、
前記プロセッサは、前記端末装置から受信したサービス起動要求メッセージからフロー情報識別子及び加入者識別子を取得し、前記取得したフロー情報識別子及び加入者識別子を含むポリシ問合せ要求メッセージを前記第２サーバの指示に基づいて前記リソース制御装置に前記インタフェースを介して送信し、前記リソース制御装置から受信した応答メッセージに基づいて前記ゲートウェイ装置に前記リソース制御装置の識別情報を前記インタフェースを介して送信することを特徴とする制御サーバ装置。
【請求項１２】
ネットワークに接続されるリソース制御装置であって、
前記ネットワークには、複数の端末装置と、前記端末装置を前記ネットワークに接続するためのゲートウェイ装置と、前記端末装置からサービスの要求を受信する第１サーバと、前記端末装置にサービスを提供する第２サーバと、が接続され、
前記リソース制御装置は、前記ネットワークに接続されるインタフェースと、前記インタフェースに接続されるプロセッサと、前記プロセッサに接続されるメモリと、を備え、
前記メモリは、フロー情報識別子と前記ポリシ情報とを対応付けるリソース制御情報を格納し、
前記プロセッサは、前記第１サーバから送信されたポリシ問合せ要求メッセージから前記サービスのフロー情報識別子及び加入者識別子を取得し、前記取得したフロー情報識別子及び加入者識別子に基づいて前記サービスに適用されるＱｏＳ情報を含むポリシの情報を検索し、前記検索したポリシの情報を前記ゲートウェイ装置に前記インタフェースを介して送信することを特徴とするリソース制御装置。
【請求項１３】
ネットワークに接続されるゲートウェイ装置であって、
前記ネットワークには、複数の端末装置と、サービスに適用されるポリシ情報を提供するリソース制御装置と、前記端末装置からサービスの要求を受信する第１サーバと、前記端末装置にサービスを提供する第２サーバと、が接続され、
前記ゲートウェイ装置は、前記ネットワークに接続されるインタフェースと、前記インタフェースに接続されるプロセッサと、前記プロセッサに接続されるメモリと、を備え、
前記プロセッサは、サービス起動要求メッセージを前記インタフェースを介して前記第１サーバに送信し、前記第１サーバから前記リソース制御装置の識別情報を前記インタフェースを介して受信し、前記受信した識別情報に対応する前記リソース制御装置から前記ポリシ情報を前記インタフェースを介して受信し、前記サービスに対して前記受信したポリシ情報を設定し、前記設定したポリシ情報を用いて通信情報を制御することを特徴とするゲートウェイ装置。
【請求項１４】
ネットワークに接続されるゲートウェイ装置であって、
前記ネットワークには、複数の端末装置と、サービスに適用されるポリシ情報を提供するリソース制御装置と、前記端末装置からサービスの要求を受信する第１サーバと、前記端末装置にサービスを提供する第２サーバと、が接続され、
前記ゲートウェイ装置は、前記ネットワークに接続されるインタフェースと、前記インタフェースに接続されるプロセッサと、前記プロセッサに接続されるメモリと、を備え、
前記プロセッサは、前記端末装置から受信したサービス起動要求メッセージから、前記サービスのフロー情報識別子を取得し、前記取得したフロー情報識別子に基づいて、前記リソース制御装置から前記ポリシ情報を受信し、前記サービスに対して前記受信したポリシ情報を設定し、前記設定されたポリシ情報を用いて通信情報を制御することを特徴とするゲートウェイ装置。
【請求項１５】
複数の端末装置と、サービスに適用されるポリシ情報を提供するリソース制御装置と、前記端末装置をネットワークに接続するためのゲートウェイ装置と、前記端末装置からサービスの要求を受信する第１サーバと、前記端末装置にサービスを提供する第２サーバと、を備える通信システムにおいて実行される通信制御方法であって、
前記第１サーバは、前記サービスと前記ポリシ情報とを対応付けるサービス制御情報を管理し、前記端末装置から受信したサービス起動要求メッセージからフロー情報識別子及び加入者識別子を取得し、前記取得したフロー情報識別子及び加入者識別子に基づいて前記リソース制御装置にポリシ問合せ要求メッセージを送信し、前記リソース制御装置から受信した応答メッセージに基づいて前記ゲートウェイ装置に前記リソース制御装置の識別情報を送信し、
前記リソース制御装置は、前記フロー情報識別子と前記ポリシ情報とを対応付けるリソース制御情報を管理し、前記第１サーバから送信された前記ポリシ問合せ要求メッセージから前記フロー情報識別子及び前記加入者識別子を取得し、前記取得したフロー情報識別子及び加入者識別子に基づいて前記サービスに適用されるＱｏＳ情報を含むポリシの情報を検索し、前記検索したポリシの情報を前記ゲートウェイ装置に送信し、
前記ゲートウェイ装置は、前記第１サーバから前記リソース制御装置の識別情報を受信し、前記受信した識別情報に対応する前記リソース制御装置から前記ポリシ情報を受信し、前記サービスに対して前記受信したポリシ情報を設定し、前記設定したポリシ情報を用いて通信情報を制御し、
前記第２サーバは、前記ポリシ情報が設定されたサービスを前記端末装置に提供することを特徴とする通信制御方法。
【請求項１６】
複数の端末装置と、サービスに適用されるポリシ情報を提供するリソース制御装置と、前記端末装置をネットワークに接続するためのゲートウェイ装置と、前記端末装置からサービスの要求を受信する第１サーバと、前記端末装置にサービスを提供する第２サーバと、を備える通信システムにおいて実行される通信制御方法であって、
前記リソース制御装置は、前記フロー情報識別子と前記ポリシ情報とを対応付けるリソース制御情報を管理し、前記ゲートウェイ装置から受信した前記フロー情報識別子に基づいて前記サービスに適用されるＱｏＳ情報を含むポリシの情報を検索し、前記検索したポリシの情報を前記ゲートウェイ装置に送信し、
前記ゲートウェイ装置は、前記端末装置から受信したサービス起動要求メッセージから前記サービスのフロー情報識別子を取得し、前記取得したフロー情報識別子に基づいて前記リソース制御装置から前記ポリシ情報を受信し、前記サービスに対して前記受信したポリシ情報を設定し、前記設定されたポリシ情報を用いて通信情報を制御することを特徴とする通信制御方法。